(57)【要約】【課題】要介護者の体格の大小に対応して、介助者の操作だけで要介護者の頭頚部の前屈角度を適正化する。【解決手段】ピボット軸Ｐaをマットレス2に横臥する要介護者Ｔdcの身長方向に変位可能に案内するガイド機構28と、ピボット軸Ｐaの位置を固定するロック機構52と、ロック機構52による前記ピボット軸Ｐaの位置固定を解除する解除機構12とを有する。好ましくは、ヘッドボトム4Hを立ち上げるヘッド・ギャッジアップ機構32の一部を構成するガススプリング44を更に有し、ガススプリング44によってヘッドボトム4Hの立ち上げが駆動される。【選択図】図１
2018175386.tif 000002
【特許請求の範囲】
【請求項１】
要介護者が横臥することのできるマットレス(2)を支持するボトム(4)が複数のセクションを有し、該複数のセクションが、
要介護者の背部に対応し且つ立ち上げ可能な背ボトム(4B)と、
要介護者の頭部に対応し且つ前記背ボトム(4B)に対してピボット軸(Ｐa)を中心に立ち上げ可能なヘッドボトム(4H)とを有する介護ベッド(100)であって、
前記ピボット軸(Ｐa)を前記マットレス(2)に横臥する要介護者(Ｔdc)の身長方向に変位可能に案内するガイド機構(28)と、
前記ピボット軸(Ｐa)の位置を固定するロック機構(52)と、
該ロック機構(52)による前記ピボット軸(Ｐa)の位置固定を解除する解除機構(12)とを有する介護ベッド(100)。
【請求項２】
前記ヘッドボトム(4H)を立ち上げるヘッド・ギャッジアップ機構(32)の一部を構成するガススプリング(44)を更に有し、
該ガススプリング(44)によって前記ヘッドボトム(4H)の立ち上げが駆動される、請求項１に記載の介護ベッド(100)。
【請求項３】
前記ガススプリング(44)とワイヤ(50)を介して連結され且つ介助者(Ｈp)が操作可能な第１ハンドル(10)を更に有し、
該第１ハンドル(10)が前記ヘッドボトム(4H)の上端に取り付けられている、請求項２に記載の介護ベッド(100)。
【請求項４】
前記ガイド機構(28)が、前記マットレス(2)に横臥した要介護者(Ｔdc)の身長の方向に延びるガイドレール(28)を有し、
前記ヘッド・ギャッジアップ機構(32)が、前記ヘッドボトム(4H)の一部を構成するスライドフレーム(30)を有し、
該スライドフレーム(30)が、前記ヘッドボトム(4H)が取り付けられるヘッドフレーム本体(34)と、該ヘッドフレーム本体(34)と前記ピボット軸(Ｐa)を介して連結されたスライダ(36)とを有し、
該スライダ(36)が前記ガイドレール(28)に係合されている、請求項３に記載の介護ベッド(100)。
【請求項５】
前記ガイドレール(28)の端に連結され且つ前記介護ベッド(100)の幅方向一端から他端まで延びるクロス部材(40)と、
該クロス部材(40)の一端と他端に配置された第２ハンドル(12)と、
該第２ハンドル(12)と前記ロック機構(52)とを連結するワイヤ(60)とを有し、
前記第２ハンドル(12)を操作することで、前記ロック機構(52)のロックを解放することができる、請求項２〜４のいずれか一項に記載の介護ベッド(100)。
【請求項６】
前記ロック機構(52)が前記ガイドレール(28)と係合可能なロック部材(54)を有し、該ロック部材(54)がゴム(56)を介して前記ガイドレール(28)と係合する、請求項１〜５のいずれか一項に記載の介護ベッド(100)。
【請求項７】
前記ロック部材(54)が前記ガイドレール(28)と係合する方向に付勢する付勢部材(58)を更に有する請求項６に記載の介護ベッド(100)。
【請求項８】
要介護者が横臥することのできる介護ベッドの背上げ可能な背ボトム(210B)を備えた介護ベッドに固定して使用されるヘッド・ギャッジアップ・アタッチメント(200)であって、
前記背ボトム(210B)に固定具(220)を使って固定されるベース(202)と、
該ベース(202)に対してピボット軸(Ｐa)を中心に立ち上げ可能なヘッドボトム(4H)と、
前記ピボット軸(Ｐa)を前記マットレス(2)に横臥する要介護者(Ｔdc)の身長方向に変位可能に案内するガイド機構(28)と、
前記ピボット軸の位置を固定するロック機構(52)と、
該ロック機構(52)による前記ピボット軸(Ｐa)の位置固定を解除する解除機構(12)とを有するヘッド・ギャッジアップ・アタッチメント(200)。
【発明の詳細な説明】
【技術分野】
【０００１】
本発明は、要介護者がベッドに身体を預けながら飲食する際の誤嚥を防止するのに効果的な介護ベッド及びヘッド・ギャッジアップ・アタッチメントに関する。
【背景技術】
【０００２】
特許文献１、２は、ベッドのギャッジアップに関する発明を開示している。ここに、「ギャッジアップ」は業界用語であり、ベッドの背上げや足上げの機能を意味している。
【０００３】
特許文献１は電動式の介護ベッドを開示している。この介護ベッドは、マットレスを支えるボトムが幾つかのセクションで構成されている。具体的には、マットレスの上に横臥する人間の身体部位に対応して、(i)人間の頭部に対応したヘッドボトム、(ii)背部に対応した背ボトム、(iii)臀部に対応した中央ボトム、(iv)大腿部に対応した大腿ボトム、(v)下肢部に対応した下肢ボトムの５つのセクションで構成されている。この５つのセクションは、互いに隣接するセクション間において屈曲可能に連結されている。
【０００４】
電動式介護ベッドは、上記５つのセクションが水平状態となって平らな面を形成する横臥姿勢を基本として、背ボトムや大腿ボトムを立ち上げることにより、背上げや足上げ姿勢が形作られる。また、背上げした背ボトムに対してヘッドボトムを立ち上げることで、要介護者は、ベッドに上半身を預けた状態で所望の頭頚部の角度を維持したリクライニング姿勢を取ることができる。
【０００５】
特許文献２も同様に、ボトムを幾つかのセクションで構成したベッドを開示している。具体的には、特許文献２は背上げギャッジアップを提案している。特許文献２に開示の背上げギャッジアップは背ボトムフレームを有し、この背ボトムフレームに背ボトムが固定されている。また、背ボトムフレームは変位不能に定置された軸を有し、この軸にヘッドボトムが軸支されている。そして、背上げギャッジアップは、相互に関連した複数のリンクを有し、この複数のリンクの動作によって、背上げした姿勢に変化させると共に、背ボトムに対するヘッドボトムの立ち上げ角度を調整することができる。
【先行技術文献】
【特許文献】
【０００６】
【特許文献１】特表２０１０−５０８１０１号公報
【特許文献２】特開平１１−２９０３９３号公報
【発明の概要】
【発明が解決しようとする課題】
【０００７】
食事介助において、介助者は、要介護者の誤嚥に対して細心の注意を払う必要があるのは勿論である。誤嚥を防止するのに、要介護者がベッドの中で飲食する姿勢を適正化するのが効果的である。すなわち、リクライニング姿勢のベッドに要介護者が上半身を預けた状態で食事介助を受ける際に、要介護者の頭頚部の前屈及びその角度を最適化するのが効果的である。
【０００８】
ヘッドボトムの支軸の位置が固定的であるため、介助者は要介護者の頭頚部の前屈角度を枕の配置位置によって調整することが行われている。要介護者の体格は様々であり、容体も様々である。このことから、介助者は、要介護者の頭部の下の枕の位置をあれこれと変え、その後の要介護者の様子を伺うことになる。要介護者が自らの力で自由に頭部を持ち上げることができない場合には、枕の配置位置を微調整するのが事実上難しい。
【０００９】
前述したように、要介護者の頭頚部の前屈が適正でないと、誤嚥を誘発してしまう虞がある。誤嚥は誤嚥性肺炎を発症してしまう原因となる。
【００１０】
本発明の目的は、要介護者の体格の大小に対応して、介助者の操作だけで要介護者の頭頚部の前屈角度を適正化することができる介護ベッド及びヘッド・ギャッジアップ・アタッチメントを提供することにある。
【００１１】
本発明の更なる目的は、要介護者がベッドの中で飲食している様子を伺いながら要介護者の頭頚部の前屈角度を適正化することができる介護ベッド及びヘッド・ギャッジアップ・アタッチメントを提供することにある。
【課題を解決するための手段】
【００１２】
上記の技術的課題は、本発明の一つの観点によれば、
要介護者が横臥することのできるマットレス(2)を支持するボトム(4)が複数のセクションを有し、該複数のセクションが、
要介護者の背部に対応し且つ立ち上げ可能な背ボトム(4B)と、
要介護者の頭部に対応し且つ前記背ボトム(4B)に対してピボット軸(Ｐa)を中心に立ち上げ可能なヘッドボトム(4H)とを有する介護ベッド(100)であって、
前記ピボット軸(Ｐa)を前記マットレス(2)に横臥する要介護者(Ｔdc)の身長方向に変位可能に案内するガイド機構(28)と、
前記ピボット軸の位置を固定するロック機構(52)と、
該ロック機構(52)による前記ピボット軸(Ｐa)の位置固定を解除する解除機構(12)とを有する介護ベッド(100)を提供することにより達成される。
【００１３】
上記の技術的課題は、本発明の他の観点によれば、
要介護者が横臥することのできる介護ベッドの背上げ可能な背ボトム(210B)を備えた介護ベッドに固定して使用されるヘッド・ギャッジアップ・アタッチメント(200)であって、
前記背ボトム(210B)に固定具(220)を使って固定されるベース(202)と、
該ベース(202)に対してピボット軸(Ｐa)を中心に立ち上げ可能なヘッドボトム(4H)と、
前記ピボット軸(Ｐa)を前記マットレス(2)に横臥する要介護者(Ｔdc)の身長方向に変位可能に案内するガイド機構(28)と、
前記ピボット軸の位置を固定するロック機構(52)と、
該ロック機構(52)による前記ピボット軸(Ｐa)の位置固定を解除する解除機構(12)とを有するヘッド・ギャッジアップ・アタッチメント(200)を提供することにより達成される。
【００１４】
本発明の上記の目的及び他の目的は、本発明の好ましい実施例の下記の詳細な説明から明らかになろう。
【図面の簡単な説明】
【００１５】
【図１】実施例の介護ベッドの斜視図である。
【図２】実施例の介護ベッドに含まれる背ボトム、ヘッドボトムを含む背上げギャッジアップ部を斜め上から見た斜視図である。
【図３】背上げギャッジアップ部の分解斜視図である。
【図４】背上げギャッジアップ部の側面図である。
【図５】背上げギャッジアップ部を斜め下から見た斜視図である。
【図６】背上げギャッジアップ部を斜め上から見た一部を切り欠いた斜視図である。
【図７】ヘッド・ギャッジアップの構成を説明するための図である。
【図８】ピボット軸Ｐaの変位に関するロック機構を説明するための図であり、ロック状態を示す。
【図９】ピボット軸Ｐaの変位に関するロック機構を説明するための図であり、解放状態を示す。
【図１０】比較的大柄な要介護者に対するピボット軸Ｐaの位置を説明するための図である。
【図１１】比較的小柄な要介護者に対するピボット軸Ｐaの位置を説明するための図である。
【図１２】従来の介護ベッドに実施例のヘッド・ギャッジアップ・アタッチメントを適用できることを説明するための図である。
【図１３】実施例のヘッド・ギャッジアップ・アタッチメントを組み付けた従来の介護ベッドを説明するための図である。
【図１４】従来の介護ベッドに組み付けた実施例のヘッド・ギャッジアップ・アタッチメントを使ってヘッド・ギャッジアップした状態を説明するための図である。
【発明を実施するための形態】
【実施例】
【００１６】
以下に、添付の図面に基づいて本発明の好ましい実施例を説明する。
【００１７】
図１は実施例の介護ベッド１００を示す。介護ベッド１００は、マットレス２の下に位置してマットレス２を支えるボトム４を有し、このボトム４は、従来と同様に、複数のセクションで構成されている。ボトム４は、マットレス２の上に横臥する人間の身体部位に対応して、人間の頭部に対応したヘッドボトム４H、背部に対応した背ボトム４B、臀部に対応した中央ボトム４C、大腿部に対応した大腿ボトム４F、下肢部に対応した下肢ボトム４Lの５つのセクションで構成されている。
【００１８】
上記の各セクションのうち、ヘッドボトム４Hの部分に本発明の特徴を有することから、以下に、本発明の特徴部分を具体的に説明する。先ず、介護ベッド１００の概要を説明すると、ベッド１００は、第１に、背ボトム４Bに対するヘッドボトム４Hの立ち上げ角度を調整することができる。すなわち、ヘッドボトム４Hは、ピボット軸Ｐaを中心に揺動させて立ち上げることが可能であり、この立ち上げ角度を調整することができる。介護ベッド１００は、第２に、ヘッドボトム４Hのピボット軸Ｐaが変位可能である。このピボット軸Ｐaの変位の方向はベッド１００の長手方向である。すなわち、ベッド１００の上で横臥している要介護者Ｔdcの身長の方向にピボット軸Ｐaを変位させることができる。
【００１９】
ヘッドボトム４Hの立ち上がり及びピボット軸Ｐaの変位をアクチュエータ、典型的には電動モータによって動作させてもよいが、ベッド１００は、好ましくは、手動の第１、第２のハンドル１０、１２を有しているのが良い。第１ハンドル１０は、ヘッドボトム４Hの立ち上げ角度を調整するときに用いられる。第１ハンドル１０は、ベッド１００の頭部側の一端面に配置されている。介助者Ｈpは第１ハンドル１０を操作しながらヘッドボトム４Hの立ち上げ角度を調整することができる。この調整作業はレバー形状の第１ハンドル１０を採用することにより介助者Ｈpの作業性を向上することができる。
【００２０】
第２ハンドル１２は、ヘッドボトム４Hのピボット軸Ｐaの変位位置を調整するときに用いられる。第２ハンドル１２は、ヘッドボトム４Hに隣接したベッド１００の両側部に夫々配置されている。介助者Ｈpは、いずれか一方の第２ハンドル１２を操作しながらヘッドボトム４Hのピボット軸Ｐaを変位させることができる。
【００２１】
図２以降の図面を参照して、実施例の介護ベッド１００の要部を詳しく説明する。図２は、背ボトム４Bとヘッドボトム４Hとを含む背上げギャッジアップ部２０を示す。図２は、背上げギャッジアップ部２０の斜視図である。図３は、背上げギャッジアップ部２０の分解斜視図である。図４は、背上げギャッジアップ部２０の側面図である。
【００２２】
図２、図３を参照して、背上げギャッジアップ部２０は正面視矩形の外形輪郭に沿って延びる背上げフレーム２２を有し、この背上げフレーム２２に背ボトム４Bが一体的に組み込まれている。背上げギャッジアップ部２０は、従来と同様に、中央ボトム４Cに対して立ち上がり可能であり、その駆動源は典型的には電動モータである。
【００２３】
背上げフレーム２２は、第１、第２の２本のクロスメンバ２４、２６を有している。図３を参照して、背上げフレーム２２は、横臥する要介護者Ｔdcの身長方向に延びる一対のガイドレール２８を有し、この一対のガイドレール２８は互いに並行に延びている。各ガイドレール２８は、背上げフレーム２２のトップクロスメンバ２２a（図３）と、第２クロスメンバ２６との間に亘って延びている。この一対のガイドレール２８を介して、ヘッドボトム４Hが背上げフレーム２２に組み付けられている。
【００２４】
以下の説明において、横臥する要介護者Ｔdcの身長の方向を「長手方向」と呼び、この長手方向において、要介護者の頭部の方向を「ヘッド方向」と呼び、要介護者の脚部の方向を「レッグ方向」と呼ぶ。
【００２５】
図３を参照して、ヘッドボトム４Hはスライドフレーム３０に取り付けられ、スライドフレーム３０はヘッド・ギャッジアップ機構３２の一部を構成している。スライドフレーム３０は、ヘッドフレーム本体３４と、一対のスライダ３６とを有し、各スライダ３６は前述した各ガイドレール２８に係合されている。一対のスライダ３６は、前述した一対のガイドレール２８に案内されて長手方向に移動可能である。
【００２６】
ヘッドフレーム本体３４は、そのレッグ方向端部３４aがスライダ３６に対してピボット軸Ｐaを介して連結されている。ピボット軸Ｐaはベッド１００の幅方向に延びている。このピボット軸Ｐaによって、ヘッドフレーム本体３４は揺動することができる。ヘッドフレーム本体３４はヘッドボトム４Hの一部を構成する。したがって、ヘッドボトム４Hは、ピボット軸Paを中心として背上げフレーム２２に対して立ち上がることができる。換言すれば、ヘッドボトム４Hは、背上げフレーム２２と同じ平面内に位置する倒伏姿勢と、ヘッドボトム４Hのレッグ方向端部３４a（ピボット軸Ｐa）を中心に立ち上がった姿勢をとることができる。この立ち上がり姿勢の角度は任意に調整できる。この点については後に説明する。
【００２７】
背上げギャッジアップ部２０は、一対のスライダ３６のヘッド方向端部に連結されたクロス部材４０を有し（図３）、このクロス部材４０は、ベッド１００の幅方向の一端から他端まで延びている。前述した第２ハンドル１２は、このクロス部材４０の一端と他端とに設置されている（図３）。クロス部材４０の長手方向中間部分には延長部材４２（図４）を介してガススプリング４４の基端が取り付けられている。このクロス部材４０の両端部は、背上げフレーム２２に固定される（図５）。
【００２８】
図３を参照して、ヘッドフレーム本体３４は、そのレッグ方向端部３４aに隣接した位置にクロスメンバ４６を有し、このクロスメンバ４６の長手方向中間部分に揺動リンク４８が取り付けられている。前述したガススプリング４４は、その自由端が揺動リンク４８に連結されている。ガススプリング４４は、周知のように、ロックを解除すると内部のガス圧によって伸長動作を開始する。また、このガス圧よりも大きな力で押し付けると短縮する機能を有している。上記の構成によって、ガススプリング４４はヘッド・ギャッジアップ機構３２の一部を構成し、ヘッドフレーム本体３４つまりヘッドボトム４Hを立ち上げる動作をアシストする駆動源となる。
【００２９】
図５〜図７は背上げギャッジアップ部２０の詳細を説明するための図であり、図５は、背上げギャッジアップ部２０を斜め下から見た斜視図である。図６は背上げギャッジアップ部２０のヘッドボトム４Hの一部を欠落させた斜視図であり、図７は、ヘッドボトム４Hを後側から見た斜視図である。
【００３０】
図７を参照して、前述した第１ハンドル１０は、一端を中心にして揺動するレバーハンドルで構成され、この第１ハンドル１０は、ヘッドフレーム本体３４のヘッド方向端部に位置するトップクロスメンバ３４bに取り付けられている。第１ハンドル１０は、ワイヤ５０を介してガススプリング４４に連結され、図示を省略したがバネによって解放方向に付勢されている。
【００３１】
介助者が第１ハンドル１０を握る操作をすると、この操作がワイヤ５０によってガススプリング４４のロック機構部品に伝達され、ガススプリング４４のロックが解除される。これにより、ガススプリング４４の付勢力がヘッドボトム４Hに作用し、ヘッドボトム４Hの立ち上がり動作をアシストすることができる。また、介助者がヘッドボトム４Hを押し下げる方向に力を及ぼすことでガススプリング４４の付勢力に抗してガススプリング４４を短縮させることでヘッドボトム４Hを倒伏させることができる。そして、第１ハンドル１０を解放すると、直ちにガススプリング４４はロック状態になる。これにより、第１ハンドル１０を解放した時点での立ち上がり角度でヘッドボトム４Hを位置固定することができる。
【００３２】
図１を参照して、ベッド１００は第２ハンドル１２を有し、前述したように、この第２ハンドル１２を操作することで、ピボット軸Ｐaの位置を調整することができる。図８は、第２ハンドル１２とこれに連係されたロック機構５２を説明するための図である。
【００３３】
第２ハンドル１２は、前述したように、背上げフレーム２２の両側部に固定されたクロス部材４０の両端部に配置されている（図５）。クロス部材４０の一端から他端の中間部分にロック部材５４が配設されている。このロック部材５４は、一対のガイドレール２８のうち一方のガイドレール２８に対して、その側面に臨んで配置されている。このロック部材５４は軸５４aを中心に揺動可能であり、ロック部材５４がガイドレール２８の側面と係合するロック位置と、ガイドレール２８の側面から離れた解放位置とを取ることができる。ロック部材５４は、ガイドレール２８と係合する面に任意であるがゴム５６が固定されている。ロック部材５４がロック位置を取ったときには、ロック部材５４はゴム５６を介してガイドレール２８に係止される。
【００３４】
図８を参照して、ロック部材５４は、ロック方向に付勢するバネ５８を有している。第２ハンドル１２は取っ手形状を有している。この第２ハンドル１２は、ワイヤ６０を介してロック部材５４と連係されている。第２ハンドル１２は、前述したように、左右に一対配置されている。取っ手形状の第２ハンドル１２は、その一端が軸１２aを介して背上げフレーム２２に取り付けられている。この左右一対の第２ハンドル１２のいずれか一方を操作することで、ロック部材５４を動作させることができる。
【００３５】
図８は、起立した状態の第２ハンドル１２を図示してある。第２ハンドル１２が、図８に図示の起立姿勢を取ったときには、ロック部材５４がガイドレール２８と係合したロック状態を形成することができる。これにより、ヘッドボトム４Hのピボット軸Ｐaの位置を固定することができる。
【００３６】
図９は、一対の第２ハンドル１２のうち、右側の第２ハンドル１２を倒したときの作用を説明するための図である。右側ではなくて左側の第２ハンドル１２を倒したときも実質的に同じ作用を奏する。一対の第２ハンドル１２のいずれか一方を倒すときには、バネ５８の付勢力に抗して第２ハンドル１２を操作する必要がある。換言すれば、第２ハンドル１２を倒すために加えた力を解放することで、第２ハンドル１２はバネ５８によって起立姿勢に復帰する。
【００３７】
第２ハンドル１２を倒すと、ロック部材５４がガイドレール２８から離れる方向に揺動する。すなわち、第２ハンドル１２を倒すと、ロック部材５４によるロックが解除される。ロックを解除することでピボット軸Ｐaの位置を調整することができる。つまり、ヘッドボトム４Hの長手方向位置を調整することができる。ヘッドボトム４Hが所望の位置に調整できたら第２ハンドル１２から手を離すことでヘッドボトム４Hの位置を固定することができる。
【００３８】
要介護者Ｔdcの体格の大小に伴う介護ベッド１００の調整について図１０、図１１を参照して説明する。図１０は、比較的背の高い要介護者Ｔdc（例えば身長165cm）に関連した図であり、図１１は比較的背の低い要介護者Ｔdc（例えば身長145cm）に関連した図である。
【００３９】
介護ベッド１００の背上げ角度つまりリクライニングは従来と同様に電動モータを使って調整する。同じ要介護者Ｔdcであっても横臥するベッド１００の位置によって頭頚部の屈曲点は微妙に変化する。身長の異なる要介護者Ｔdcでは、頭頚部の屈曲点は各人各様である。図１０と図１１とを対比すると良く分かるように、ピボット軸Ｐaの位置が異なる。一般的には要介護者Ｔdcの頭部の下に枕ＰLが敷かれる。この状態で、第２ハンドル１２を操作してロックを解除し、ピボット軸Ｐaの長手方向の位置を調整する。第２ハンドル１２は取っ手形状を有しているため、この第２ハンドル１２を握った手で第２ハンドル１２を長手方向に移動させることで、ベッドに身を預けている要介護者Ｔdcに適合した所望の位置にピボット軸Ｐaを位置決めすることができる。
【００４０】
要介護者Ｔdcの頭頚部の屈曲角度の調整は、第１ハンドル１０を操作してヘッドボトム４Hの立ち上がり角度を調整することによって行うことができる。ヘッドボトム４Hの立ち上がり動作ではガススプリング４４によってアシストされるため、介助者Ｈpの負担を軽減することができる。また、ヘッドボトム４Hが立ち過ぎているときには、ヘッドボトム４Hに力を加えてヘッドボトム４Hを押し下げるようにすることでガススプリング４４が短縮してヘッドボトム４Hの立ち上がり角度が小さくなる。適当な立ち上がり角度になったらヘッドボトム４Hから手を離し、また、第１ハンドル１０から手を離すだけでヘッドボトム４Hの立ち上がり角度を固定することができる。
【００４１】
したがって、ベッド１００に身体を預けた状態の要介護者Ｔdcが実際に食事をする様子を見ながらヘッドボトム４Hの立ち上がり角度やピボット軸Ｐaの位置の微調整を行って、この要介護者Ｔdcの頭頚部の屈曲角度を最適化することが可能である。
【００４２】
図１２〜図１４は、実施例のヘッド・ギャッジアップ・アタッチメントを示す。図示のヘッド・ギャッジアップ・アタッチメント２００は、上述した背上げギャッジアップ部２０と実質的に同じ構造を有している。
【００４３】
ヘッド・ギャッジアップ・アタッチメント２００は、前述した背上げフレーム２２の代わりにベース２０２を有している。ベース２０２は、前述した背上げフレーム２２と実質的に同じであるが、その長手方向長さが小さく、背ボトム４Bの機能を実質的に有していない。すなわち、ベース２０２の下端クロスメンバは、前述した背上げフレーム２２の第２クロスメンバ２６（図３）で構成されている。
【００４４】
図１２に図示の２１０は従来の介護ベッドのボトムを示す。２１０Bは従来の背ボトムであり、２１０Cは従来の中央ボトムであり、２１０Fは従来の大腿ボトムであり、２１０Lは従来の下肢ボトムである。
【００４５】
実施例のヘッド・ギャッジアップ・アタッチメント２００は、ベース２０２を背ボトム２１０Bに取り付けて使用される。従来の介護ベッドの背ボトム２１０Bに対してベース２０２を固定具２２０を使って固定することにより、ヘッド・ギャッジアップ・アタッチメント２００を従来の介護ベッドに装着する。図１３は、ヘッド・ギャッジアップ・アタッチメント２００を従来の介護ベッドの背ボトム２１０Bに固定した状態を示す。これにより、前述した実施例の介護ベッド１００と同様に、ヘッドボトム４Hをピボット軸Ｐaを中心に立ち上げることができ、また、このピボット軸Ｐaを長手方向に変位させることができる（図１４）。
【符号の説明】
【００４６】
１００  実施例の介護ベッド
２  マットレス
４  ボトム
４H  ヘッドボトム
４B  背ボトム
４C  中央ボトム
Ｐa  ヘッドボトムのピボット軸
Ｔdc  要介護者
Ｈp  介助者
１０  第１ハンドル（ヘッドボトムの傾斜角度の調整）
１２  第２ハンドル（ピボット軸の変位）
２０  背上げギャッジアップ部
２２  背上げフレーム
２８  ガイドレール
３０  スライドフレーム
３２  ヘッド・ギャッジアップ機構
３４  ヘッドフレーム本体
３４a  ヘッドフレーム本体のレッグ方向端部
３４b  トップクロスメンバ
３６  スライダ
４０  クロス部材
４２  延長部材
４４  ガススプリング
４６  クロスメンバ
４８  揺動リンク
５０  ワイヤ
５２  ロック機構
５４  ロック部材
５４a  ロック部材の揺動軸
５６  ゴム
５８  バネ
６０  ワイヤ
２００  ヘッド・ギャッジアップ・アタッチメント
２０２  ベース
２２０  固定具
【図１】
2018175386.tif 000003
【図２】
2018175386.tif 000004
【図３】
2018175386.tif 000005
【図４】
2018175386.tif 000006
【図５】
2018175386.tif 000007
【図６】
2018175386.tif 000008
【図７】
2018175386.tif 000009
【図８】
2018175386.tif 000010
【図９】
2018175386.tif 000011
【図１０】
2018175386.tif 000012
【図１１】
2018175386.tif 000013
【図１２】
2018175386.tif 000014
【図１３】
2018175386.tif 000015
【図１４】
2018175386.tif 000016